(57)【要約】      （修正有）【課題】折り畳み式の携帯端末装置において開閉時のクリック音をタイミングよく鳴らす。【解決手段】携帯端末装置は、第１の筐体と、第２の筐体と、第１および第２の筐体を回動軸を中心に連結し、第１および第２の筐体が所定の角度を成す際にクリック音を発生させるヒンジと、第１および第２の筐体が成す角度を検出する検出部２８と、電子音を発生させる電子音発生部６３と、検出部で検出された角度に応じて電子音発生部６３から電子音を発生させる制御部６１と、を備える。【選択図】図８
2014093724.tif 000002
【特許請求の範囲】
【請求項１】
第１の筐体と、
第２の筐体と、
前記第１および第２の筐体を回動軸を中心に連結し、前記第１および第２の筐体が所定の角度を成す際にクリック音を発生させるヒンジと、
前記第１および第２の筐体が成す角度を検出する検出部と、
電子音を発生させる電子音発生部と、
前記検出部で検出された角度に応じて前記電子音発生部から前記電子音を発生させる制御部と、を備え、
前記電子音を発生させる前記角度が調整可能に構成されている、
携帯端末装置。
【請求項２】
前記電子音発生部から前記電子音を発生させる角度と、前記ヒンジが前記クリック音を発生させる角度とが略同一の角度である、請求項１に記載の携帯端末装置。
【請求項３】
前記第１および第２の筐体は、前記第１の筐体の主面と前記第２の筐体の主面とが成す角度が０°となる第１の状態と、前記第１の筐体の主面と前記第２の筐体の主面とが成す角度が１８０°となる第２の状態となるように構成されている、請求項１または２に記載の携帯端末装置。
【請求項４】
前記制御部は、前記第１の筐体の主面と前記第２の筐体の主面とが成す角度が２〜５°である場合に前記電子音を発生させる、請求項３に記載の携帯端末装置。
【請求項５】
前記制御部は、前記第１の筐体の主面と前記第２の筐体の主面とが成す角度が１７５〜１７８°である場合に前記電子音を発生させる、請求項３または４に記載の携帯端末装置。
【請求項６】
前記制御部は、前記クリック音が発生した後、前記第１および第２の筐体が前記第１の状態となる前に前記電子音を発生させる、請求項３に記載の携帯端末装置。
【請求項７】
前記制御部は、前記クリック音が発生した後、前記第１および第２の筐体が第２の状態となる前に前記電子音を発生させる、請求項３または６に記載の携帯端末装置。
【請求項８】
前記第１および第２の筐体を連結しているヒンジの数が複数である場合、前記制御部は、最初のクリック音が発生するタイミングの直前から最後のクリック音が発生した直後のタイミングまでの間、前記電子音発生部から連続した電子音を発生させる、請求項１に記載の携帯端末装置。
【請求項９】
前記第１の筐体は第１の磁石を備え、
前記第２の筐体は、前記第１の状態において前記第１の磁石と対向するように配置され、前記第１の磁石から発生する磁束密度を検出するホール素子を前記検出部として備える、
請求項３乃至８のいずれか一項に記載の携帯端末装置。
【請求項１０】
前記制御部は、前記ホール素子で検出されたホール電圧が予め定められた第１の閾値よりも大きい場合に前記電子音を発生させる、請求項９に記載の携帯端末装置。
【請求項１１】
前記制御部は、前記第１および第２の筐体が前記第１の状態である際に前記ホール素子で検出されたホール電圧に基づき算出された値を用いて前記第１の閾値をリセットする、請求項１０に記載の携帯端末装置。
【請求項１２】
前記回動軸からずれた位置に配置された第２の磁石を更に備え、
前記第２の磁石は、前記第２の状態において検出される前記第２の磁石の磁束密度が、前記第１の状態において検出される前記第２の磁石の磁束密度よりも大きくなるように配置されている、
請求項３乃至８のいずれか一項に記載の携帯端末装置。
【請求項１３】
前記制御部は、前記ホール素子で検出されたホール電圧が予め定められた第２の閾値よりも大きい場合に前記電子音を発生させる、請求項１２に記載の携帯端末装置。
【請求項１４】
前記制御部は、前記第１および第２の筐体が第２の状態である際に前記ホール素子で検出されたホール電圧に基づき算出された値を用いて前記第２の閾値をリセットする、請求項１３に記載の携帯端末装置。
【発明の詳細な説明】
【技術分野】
【０００１】
本発明は携帯端末装置に関し、特に折り畳み式の携帯端末装置に関する。
【背景技術】
【０００２】
近年、携帯電話やスマートフォンなどの携帯端末装置が普及している。特に、携帯電話においては、折り畳み式の端末が広く普及している。また、スマートフォンにおいても、折り畳み可能な端末が提案されている。
【０００３】
特許文献１には、フリーストップ機能とワンタッチオープン機能とを選択的に利用することにより利用性が向上する折り畳み式携帯端末装置に関する技術が開示されている。  特許文献２には、所望の開き角において十分なクリック音及びクリック感が得られるとともに、クリック音及びクリック感を発生させるか否かをユーザが切り替えることが可能な折り畳み式携帯端末装置に関する技術が開示されている。
【先行技術文献】
【特許文献】
【０００４】
【特許文献１】特開２００２−３４４５９７号公報
【特許文献２】特開２００９−０４３００１号公報
【発明の概要】
【発明が解決しようとする課題】
【０００５】
折り畳み式の携帯端末装置は、２つの筐体が互いに回動軸を中心に回動するようにヒンジを用いて連結されている。そして、２つの筐体を連結しているヒンジからは、２つの筐体が開状態や閉状態となるときにクリック音が発生する。しかしながら、クリック音が発生するタイミングが適切でないと、クリック音がユーザにとって耳障りとなり、携帯端末装置を使用するユーザの利便性が低下するという問題がある。
【０００６】
上記課題に鑑み本発明の目的は、折り畳み式の携帯端末装置において開閉時のクリック音をタイミングよく鳴らすことである。
【課題を解決するための手段】
【０００７】
本発明の一態様にかかる携帯端末装置は、第１の筐体と、第２の筐体と、前記第１および第２の筐体を回動軸を中心に連結し、前記第１および第２の筐体が所定の角度を成す際にクリック音を発生させるヒンジと、前記第１および第２の筐体が成す角度を検出する検出部と、電子音を発生させる電子音発生部と、前記検出部で検出された角度に応じて前記電子音発生部から前記電子音を発生させる制御部と、を備え、前記電子音を発生させる前記角度が調整可能に構成されている。
【発明の効果】
【０００８】
本発明により、折り畳み式の携帯端末装置において開閉時のクリック音をタイミングよく鳴らすことができる。
【図面の簡単な説明】
【０００９】
【図１Ａ】実施の形態にかかる携帯端末装置の開状態における正面図である。
【図１Ｂ】実施の形態にかかる携帯端末装置の開状態における側面図である。
【図２Ａ】実施の形態にかかる携帯端末装置の閉状態における正面図である。
【図２Ｂ】実施の形態にかかる携帯端末装置の閉状態における側面図である。
【図３Ａ】実施の形態にかかる携帯端末装置の開状態における背面図である。
【図３Ｂ】図３ＡのＩＩＩＢ−ＩＩＩＢにおける断面図である。
【図４Ａ】実施の形態にかかる携帯端末装置の閉状態における正面図である。
【図４Ｂ】図４ＡのＩＶＢ−ＩＶＢにおける断面図である。
【図５】実施の形態にかかる携帯端末装置で用いられているヒンジの上面図である。
【図６Ａ】図５に示すヒンジの動作を説明するための図である。
【図６Ｂ】図５に示すヒンジの動作を説明するための図である。
【図７】図５に示すヒンジの回動角度に対するカム間隔を示すグラフである。
【図８】実施の形態にかかる携帯端末装置を説明するためのブロック図である。
【図９Ａ】実施の形態にかかる携帯端末装置の動作を説明するための図である（２つの筐体が成す角度が９０°である場合）。
【図９Ｂ】実施の形態にかかる携帯端末装置の動作を説明するための図である（２つの筐体が成す角度がａ°である場合）。
【図９Ｃ】実施の形態にかかる携帯端末装置の動作を説明するための図である（２つの筐体が成す角度が０°（閉状態）である場合）。
【図１０Ａ】実施の形態にかかる携帯端末装置の動作を説明するための図である（２つの筐体が成す角度が０°（閉状態）である場合）。
【図１０Ｂ】実施の形態にかかる携帯端末装置の動作を説明するための図である（２つの筐体が成す角度がｂ°である場合）。
【図１０Ｃ】実施の形態にかかる携帯端末装置の動作を説明するための図である（２つの筐体が成す角度が１８０°（開状態）である場合）。
【図１１Ａ】磁石とホール素子の配置の一例を示す断面図である。
【図１１Ｂ】磁石とホール素子の配置の他の例を示す断面図である。
【図１２】実施の形態にかかる携帯端末装置の設定時の動作を説明するためのフローチャートである。
【発明を実施するための形態】
【００１０】
以下、図面を参照して本発明の実施の形態について説明する。
図１Ａは、本実施の形態にかかる携帯端末装置の開状態における正面図である。図１Ｂは、本実施の形態にかかる携帯端末装置の開状態における側面図である。図２Ａは、本実施の形態にかかる携帯端末装置の閉状態における正面図（筐体１１側からみた図）である。図２Ｂは、本実施の形態にかかる携帯端末装置の閉状態における側面図である。
【００１１】
図１Ａ〜Ｂ、図２Ａ〜Ｂに示すように、本実施の形態にかかる携帯端末装置は、筐体１１（第１の筐体）と筐体２１（第２の筐体）とを備える。筐体１１および筐体２１は、回動軸３０を中心にヒンジ３１、３２を用いて回動可能に連結されている。本実施の形態にかかる携帯端末装置は、折り畳み式の携帯端末装置であればよく、例えばスマートフォン、タブレット型の携帯端末装置、携帯電話、ゲーム機、電子書籍端末などである。
【００１２】
筐体１１は、パネル１２と、表示部１３と、レシーバ１４と、を備える。パネル１２は、表示部１３を外部環境から保護するための部材である。パネル１２は、タッチパネルであってもよい。表示部１３は、例えば液晶パネルや有機ＥＬ（Electro Luminescence）パネル等である。レシーバ１４は、通話時に通話相手の音声を出力する。また、レシーバ１２は、通話時以外において、動画や音楽等の音声を出力するスピーカとして動作してもよい。
【００１３】
筐体２１は、パネル２２と、表示部２３と、カメラ２４と、を備える。パネル２２は、表示部２３を外部環境から保護するための部材である。パネル２２は、タッチパネルであってもよい。表示部２３は、例えば液晶パネルや有機ＥＬパネル等である。更に図１Ｂ、図２Ｂに示すように、筐体２１は側面にスピーカ２５とマイク２６とを備える。スピーカ２５は、通話時（ハンズフリー通話）において、通話相手の音声を出力する。また、スピーカ２５は、通話時以外において、音声付き動画や音楽等の音声を出力してもよい。更に、スピーカ２５は着信音を鳴動してもよい。本実施の形態にかかる携帯端末装置においてスピーカ２５は、電子音を発生させる電子音発生部６３（図８参照）としても機能する。マイク２６は、周囲の音を収音する。例えば、マイク２６は、通話時におけるユーザの声や、動画撮影時における周囲の音声等を収音する。
【００１４】
本実施の形態にかかる携帯端末装置は、筐体１１の主面（パネル１２を含む面）と筐体２１の主面（パネル２２を含む面）とが成す角度が１８０°となる開状態（図１Ａ、図１Ｂ）と、筐体１１の主面と筐体２１の主面とが成す角度が０°となる閉状態（図２Ａ、図２Ｂ）となるように構成している。つまり、図１Ａ、図１Ｂに示すように、開状態（第２の状態）の場合は、筐体１１のパネル１２（表示部１３）と筐体２１のパネル２２（表示部２３）とが並んで配置される。また、図２Ａ、図２Ｂに示すように、閉状態（第１の状態）の場合は、筐体１１のパネル１２と筐体２１のパネル２２とが互いに逆向きとなるように配置される。
【００１５】
図３Ａは、本実施の形態にかかる携帯端末装置の開状態における背面図である。図３Ｂは、図３ＡのＩＩＩＢ−ＩＩＩＢにおける断面図である。また、図４Ａは、本実施の形態にかかる携帯端末装置の閉状態における正面図（筐体２１側からみた図）である。図４Ｂは、図４ＡのＩＶＢ−ＩＶＢにおける断面図である。
【００１６】
図３Ａ〜Ｂ、図４Ａ〜Ｂに示すように、筐体２１が備える基板２７はホール素子（検出部）２８を備える。また、筐体１１は磁石１５を備える。図４Ｂに示すように、磁石１５とホール素子２８は、筐体１１と筐体２１とが閉状態である場合に互いに対向している。なお、図３Ｂ、図４Ｂに示す断面図では、図面を簡略化するために、磁石１５、基板２７、およびホール素子２８のみを示しているが、例えば、基板２７はホール素子２８以外にも、携帯端末装置を駆動するためのプロセッサ、メモリ、通信モジュール等の回路素子や、カメラ用の撮像素子等（不図示）を備える。また、筐体２１は、例えばバッテリ（不図示）を備える。
【００１７】
ホール素子２８は、磁石１５から発生する磁束密度を検出し、検出した磁束密度に応じたホール電圧を出力する。図３Ｂに示すように、開状態の場合は磁石１５とホール素子２８とが互いに離間しているので、ホール素子２８は磁束を検出しない（仮に磁束を検出しても十分に小さい値である）。
【００１８】
一方、図４Ｂに示すように、閉状態の場合は磁石１５とホール素子２８とが互いに対向するように配置されるので、ホール素子２８は磁石１５の磁束を検出し、検出した磁束密度に応じたホール電圧を出力する。このようにしてホール素子２８は、筐体１１と筐体２１とが閉状態であることを検出することができる。換言すると、ホール素子は筐体１１の主面と筐体２１の主面とが成す角度を検出することができる。
【００１９】
次に、筐体１１と筐体２１とを連結しているヒンジについて詳細に説明する。ヒンジ３１、３２は、筐体１１と筐体２１とを回動軸３０を中心に連結すると共に、筐体１１と筐体２１とが所定の角度を成す際にクリック音を発生させる。ここで、クリック音を発生させる所定の角度とは、例えば、筐体１１と筐体２１とが閉状態となる少し手前の角度である。具体的には筐体１１の主面と筐体２１の主面とが成す角度が２〜５°の場合である。また、クリック音を発生させる所定の角度とは、例えば、筐体１１と筐体２１とが開状態となる少し手前の角度である。具体的には筐体１１の主面と筐体２１の主面とが成す角度が１７５〜１７８°の場合である。
【００２０】
図５は、本実施の形態にかかる携帯端末装置で用いられているヒンジの上面図である。図５に示すように、ヒンジ３１は、ブラケット４１_１、４１_２、スプリング４３、カムＡ（４４）、カムＢ（４６）、固定部材４８、およびシャフト４９を備える。
【００２１】
ブラケット４１_１は筐体２１にネジ等を用いて固定される。ブラケット４１_１はネジを通すためのネジ穴４２_１を備える。ブラケット４１_２は筐体１１にネジ等を用いて固定される。ブラケット４１_２はネジを通すためのネジ穴４２_２を備える。スプリング４３は、カムＡ（４４）とカムＢ（４６）とを当接させるために設けられている。カムＡ（４４）は凸部４５を備える。カムＢ（４６）は凹部４７を備える。
【００２２】
ブラケット４１_２は、固定部材４８と一体的に形成されている。また、固定部材４８は凸部５２を備え、カムＢ（４６）は凹部５１を備える。そして、固定部材４８の凸部５２とカムＢ（４６）の凹部５１とを互いに係合させることで、固定部材４８とカムＢ（４６）とが互いに回動しないようにしている。また、ブラケット４１_１、カムＡ（４４）、およびシャフト４９は互いに回動しないように構成されている。
【００２３】
すなわち、図５に示すヒンジ３１において、ブラケット４１_１とカムＡ（４４）は互いに同一の角度で回動し、ブラケット４１_２とカムＢ（４６）は互いに同一の角度で回動する。換言すると、ブラケット４１_１のブラケット４１_２に対する角度は、カムＡ（４４）のカムＢ（４６）に対する角度と同一となる。
【００２４】
図６Ａ、図６Ｂは、図５に示すヒンジの動作を説明するための図である。図６Ａに示すように、ヒンジ３１では、カムＡ（４４）の凸部４５とカムＢ（４６）の凹部４７とが係合することで、カムＡ（４４）に対するカムＢ（４６）の位置が固定される。このとき、カムＡ（４４）とカムＢ（４６）との間隔はＷ１となる。また、スプリング４３は、カムＡ（４４）に対してカムＢ（４６）と近づく方向の力を作用させている。つまり、スプリング４３がカムＡ（４４）を押す力が大きいほど、カムＡ（４４）の凸部４５とカムＢ（４６）の凹部４７とが強固に係合し、カムＡ（４４）に対するカムＢ（４６）の位置が強固に固定される。換言すると、ブラケット４１_１がブラケット４１_２に対して回動しにくくなる。
【００２５】
図６Ｂに示すように、ブラケット４１_１がブラケット４１_２に対して回動している場合、つまりカムＢ（４６）に対してカムＡ（４４）が回動している場合は、カムＡ（４４）の凸部４５はカムＢ（４６）の面５３を摺動する。このとき、カムＡ（４４）とカムＢ（４６）との間隔はＷ２となる。
【００２６】
図７は、図５に示すヒンジの回動角度に対するカム間隔を示すグラフである。ここで、ヒンジの回動角度とは、例えばブラケット４１_２に対するブラケット４１_１の角度である。ヒンジが閉状態の場合は回動角度が０°（図５参照）であり、開状態の場合は回動角度が１８０°となる。
【００２７】
図７に示すように、ブラケット４１_２に対するブラケット４１_１の回動角度が０°の場合は、ヒンジのカムＡ（４４）とカムＢ（４６）とが図６Ａに示す状態となっている。このとき、カムＡ（４４）とカムＢ（４６）との間隔はＷ１となっている。そして、ブラケット４１_２に対するブラケット４１_１の回動角度が大きくなるにつれて、カムＡ（４４）とカムＢ（４６）との間隔は広くなる。このとき、カムＡ（４４）の凸部４５は、カムＢ（４６）の凹部４７の傾斜部５５と当接しながら摺動している。また、スプリング４３は、カムＡ（４４）とカムＢ（４６）とが近づくような力を作用させているので、回動角度が０〜ａ°の間では、ヒンジが閉状態となるようなトルクが発生する。
【００２８】
その後、ブラケット４１_２に対するブラケット４１_１の回動角度がａ°よりも大きくなると、カムＡ（４４）とカムＢ（４６）との間隔はＷ２で一定となる。このとき、カムＡ（４４）の凸部４５は、カムＢ（４６）の面５３と当接しながら摺動する。
【００２９】
その後、回動角度がｂ°よりも大きくなると、カムＡ（４４）とカムＢ（４６）との間隔は徐々に狭くなる。このとき、カムＡ（４４）の凸部（この場合は、図６Ａ〜Ｂに示した凸部４５と異なる位置に設けられた凸部）は、カムＢ（４６）の凹部４７の傾斜部５５と当接しながら摺動する。そして、回動角度が１８０°となると、ヒンジのカムＡ（４４）とカムＢ（４６）とが係合して図６Ａに示す状態となる。このとき、カムＡ（４４）とカムＢ（４６）との間隔はＷ１となる。この場合は、回動角度がｂ〜１８０°の間で、ヒンジが開状態となるようなトルクが発生する。
【００３０】
図６Ｂに示すように、カムＡ（４４）の凸部４５がカムＢ（４６）の面５３と当接しながら摺動する場合、つまり回動角度がａ〜ｂ°の場合は、カムＢ（４６）の凹部５１と固定部材４８の凸部５２との間にクリアランス５６が形成される。そして、回動角度がａ°よりも小さくなると、カムＡ（４４）の凸部４５は、カムＢ（４６）の凹部４７の傾斜部５５と当接しながら摺動し始める。このとき、カムＢ（４６）には紙面上方向の力が働くため、カムＢ（４６）の凹部５１と固定部材４８の凸部５２とが衝突してクリック音が発生する。その後、カムＢ（４６）の凹部５１と固定部材４８の凸部５２は互いに当接し、クリアランス５６はなくなる（図６Ａ参照）。
【００３１】
その他にも、例えばシャフト４９とカムＡ（４４）との衝突や、シャフト４９とブラケット４１_１のヒンジ回転止め部分との衝突などによりクリック音が発生する。このように、クリック音は回動角度がａ°よりも小さくなるタイミングで発生する。例えば、筐体１１の主面と筐体２１の主面とが成す角度が２〜５°となるタイミングで、クリック音が発生する。
【００３２】
また、回動角度がｂ°よりも大きくなる場合についても、上記と同様にクリック音が発生する。つまり、クリック音は回動角度がｂ°よりも大きくなるタイミングで発生する。例えば、筐体１１の主面と筐体２１の主面とが成す角度が１７５〜１７８°となるタイミングで、クリック音が発生する。
【００３３】
次に、本実施の形態にかかる携帯端末装置において、電子音発生部から電子音を発生させるための構成について、図８に示すブロック図を用いて説明する。図８に示すように、携帯端末装置は、ホール素子２８、制御部６１、メモリ６２、および電子音発生部６３を備える。ここで、電子音発生部６３は、例えば図１Ｂに示すスピーカ２５である。また、例えば制御部６１およびメモリ６２を構成する回路素子は、図３Ａに示す基板２７に搭載されている。
【００３４】
ホール素子２８は、磁石１５から発生する磁束密度を検出し、検出した磁束密度に応じたホール電圧を制御部６１に出力する。ホール素子２８から出力されるホール電圧は、筐体１１の主面と筐体２１の主面とが成す角度に対応している。メモリ６２にはホール電圧の所定の閾値が格納されている。
【００３５】
制御部６１は、ホール素子２８で検出された角度に応じて電子音発生部６３から電子音を発生させる。例えば、制御部６１は、ホール素子２８で検出されたホール電圧と、メモリ６２に格納されている閾値とを比較し、ホール素子２８で検出されたホール電圧が閾値よりも大きい場合に、電子音発生部６３から電子音を発生させることができる。
【００３６】
図９Ａ〜図９Ｃは、本実施の形態にかかる携帯端末装置の動作を説明するための図である。図９Ａは筐体１１と筐体２１とが成す角度が９０°である場合、図９Ｂは筐体１１と筐体２１とが成す角度がａ°である場合、図９Ｃは筐体１１と筐体２１とが成す角度が０°（閉状態）である場合を示している。
【００３７】
図９Ａに示す場合は、ホール素子２８と磁石１５との距離が離れているため、ホール素子２８は磁石１５から発生する磁束を検出しない（仮に磁束を検出しても十分に小さい値である）。よって、ホール素子２８のホール電圧はメモリ６２に格納されている閾値よりも小さいため、制御部６１は電子音発生部６３から電子音を発生させない。
【００３８】
図９Ｂに示すように、筐体１１と筐体２１とが成す角度がａ°よりも小さくなると、ホール素子２８と磁石１５との距離が距離ｘよりも小さくなる。この場合は、ホール素子２８のホール電圧がメモリ６２に格納されている閾値よりも大きくなるので、制御部６１は電子音発生部６３から電子音を発生させる。またこのとき、ヒンジからクリック音が発生する。その後、更に筐体１１と筐体２１とが成す角度を小さくすると、図９Ｃに示すように携帯端末装置は閉状態となる。
【００３９】
本実施の形態にかかる携帯端末装置では、電子音発生部６３から電子音を発生させるタイミング、つまり、電子音を発生させる角度は任意に調整することができる。換言すると、電子音発生部６３から電子音を発生させるための、ホール素子２８と磁石１５との距離ｘは任意に決定することができる。
【００４０】
例えば、電子音発生部６３から電子音を発生させる角度を、ヒンジがクリック音を発生させる角度と略同一にしてもよい。また、例えば、制御部６１は、筐体１１の主面と筐体２１の主面とが成す角度が２〜５°である場合に電子音を発生させてもよい。また、制御部６１は、クリック音が発生した後、筐体１１と筐体２１とが閉状態となる前に電子音を発生させてもよい。
【００４１】
電子音発生部６３から発生させる電子音は、例えばヒンジから発生するクリック音と類似する音、所定の長さの音、強弱がある音、効果音、音楽など、ヒンジから発生するクリック音が耳障りとならないようにすることができる音であれば、どのような音であってもよい。例えば、筐体１１と筐体２１とを連結しているヒンジの数が複数の場合は、クリック音が複数鳴る。例えば、ヒンジが２つの場合は、クリック音が少なくとも２回鳴る。このような場合は、最初のクリック音が鳴るタイミングの直前から、最後のクリック音が鳴った直後のタイミングまでの間、連続した電子音を発生させるようにしてもよい。
【００４２】
図１０Ａ〜図１０Ｃは、本実施の形態にかかる携帯端末装置の動作を説明するための図である。図１０Ａは筐体１１と筐体２１とが成す角度が０°（閉状態）である場合、図１０Ｂは筐体１１と筐体２１とが成す角度がｂ°である場合、図１０Ｃは筐体１１と筐体２１とが成す角度が１８０°である場合を示している。
【００４３】
図１０Ａ〜図１０Ｃでは、開状態を検出するために、回動軸３０からずれた位置に磁石１６を配置している。つまり、開状態において検出される磁石１６の磁束密度が、閉状態において検出される磁石１６の磁束密度よりも大きくなるように、磁石１６を配置している。
【００４４】
図１０Ａに示す場合は、ホール素子２８と磁石１６との距離が離れているため、ホール素子２８は磁石１６から発生する磁束を検出しない（仮に磁束を検出しても十分に小さい値である）。よって、ホール素子２８のホール電圧はメモリ６２に格納されている閾値よりも小さいため、制御部６１は電子音発生部６３から電子音を発生させない。
【００４５】
図１０Ｂに示すように、筐体１１と筐体２１とが成す角度がｂ°よりも大きくなると、ホール素子２８と磁石１６との距離が近くなる。この場合は、ホール素子２８のホール電圧がメモリ６２に格納されている閾値よりも大きくなるので、制御部６１は電子音発生部６３から電子音を発生させる。またこのとき、ヒンジからクリック音が発生する。その後、更に筐体１１と筐体２１とが成す角度を大きくすると、図１０Ｃに示すように携帯端末装置は開状態となる。
【００４６】
図１０Ａ〜図１０Ｃに示す場合においても、電子音発生部６３から電子音を発生させるタイミング、つまり、電子音を発生させる角度は任意に調整することができる。例えば、電子音発生部６３から電子音を発生させる角度を、ヒンジがクリック音を発生させる角度と略同一にしてもよい。また、例えば、制御部６１は、筐体１１の主面と筐体２１の主面とが成す角度が１７５〜１７８°である場合に電子音を発生させてもよい。また、制御部６１は、クリック音が発生した後、筐体１１と筐体２１とが開状態となる前に電子音を発生させてもよい。
【００４７】
電子音発生部６３から発生させる電子音は、例えばヒンジから発生するクリック音と類似する音、所定の長さの音、強弱がある音、効果音、音楽など、ヒンジから発生するクリック音が耳障りとならないようにすることができる音であれば、どのような音であってもよい。例えば、筐体１１と筐体２１とを連結しているヒンジの数が２つの場合は、クリック音が少なくとも２回発生する。このような場合は、最初のクリック音が鳴るタイミングの直前から、最後のクリック音が鳴った直後のタイミングまでの間、連続した電子音を発生させるようにしてもよい。
【００４８】
本実施の形態にかかる携帯端末装置では、図１１Ａに示すように、磁石１５と磁石１６とを設けて、閉状態および開状態の両方を検出できるように構成してもよい。この場合は、磁石１５と磁石１６の極性が互いに逆向きとなるようにすることが好ましい。つまり、閉状態において磁石１５の磁力線と、磁石１６の磁力線とが互いに逆向きとなるようにすることが好ましい。
【００４９】
図１１Ａに示す例では、１つのホール素子２８を用いて開状態と閉状態とを検出する構成を示しているが、図１１Ｂに示すように、２つのホール素子２８、２９を用いて、開状態と閉状態とを検出するように構成してもよい。すなわち、ホール素子２８と磁石１６とを用いて開状態を検出し、ホール素子２９と磁石１５とを用いて閉状態を検出するように構成してもよい。このように２つのホール素子を用いることで、閉状態と開状態とを正確に検出することができる。
【００５０】
次に、本実施の形態にかかる携帯端末装置の設定時の動作（具体的には、閾値を設定する動作）について、図１２に示すフローチャートを用いて説明する。まず、出荷時における設定について説明する。出荷時において携帯端末装置の各種動作テストを実施する（ステップＳ１１）。その後、携帯端末装置を閉状態にする（ステップＳ１２）。そして、ホール素子を用いて、閉状態における磁束密度に対応するホール電圧を検出する（ステップＳ１３）。
【００５１】
次に、設定する角度ａ（磁石１５とホール素子２８の距離ｘ）に対応したホール電圧を算出する（ステップＳ１４。図９Ｂ参照）。ここで、角度ａは０°よりも大きい角度であるので、算出されたホール電圧は、閉状態におけるホール電圧よりも小さい値となる。そして、算出されたホール電圧を閾値としてメモリ６２に格納する（ステップＳ１５）。このようにすることで、出荷時に閾値を設定（リセット）することができる。
【００５２】
また、出荷後に外的要因により角度ａを検出するタイミングがずれる場合も想定される。このような場合、ユーザは閾値設定コマンドを実行する（ステップＳ２１）。閾値設定コマンドを実行すると、携帯端末装置は、携帯端末装置を閉状態とするように表示部にメッセージを表示する（ステップＳ２２）。そして、ユーザが携帯端末装置を閉状態にすると、ステップＳ１２以降の動作を実行して、閾値をリセットすることができる。ここで、設定する角度ａは、ユーザが任意に決定することができる。
【００５３】
なお、開状態における閾値、つまり角度ｂに対応する閾値を設定する場合にも、上記と同様に設定することができる。
【００５４】
折り畳み式の携帯端末装置は、２つの筐体が互いに回動軸を中心に回動するようにヒンジを用いて連結されている。そして、２つの筐体を連結しているヒンジからは、２つの筐体が開状態や閉状態となるときにクリック音が発生する。しかしながら、クリック音が発生するタイミングが適切でないと、クリック音がユーザにとって耳障りとなり、携帯端末装置を使用するユーザの利便性が低下するという問題があった。
【００５５】
そこで本実施の形態にかかる携帯端末装置では、ホール素子（検出部）２８を用いて２つの筐体１１、２１が成す角度を検出し、この検出された角度に応じて電子音発生部６３から電子音を発生させている。ここで、電子音を発生させる角度は任意に調整することができる。このように、本実施の形態にかかる携帯端末装置は、携帯端末装置の開閉時のクリック音をタイミングよく鳴らすことができるので、ユーザの利便性を向上させることができる。
【００５６】
以上、本発明を上記実施形態に即して説明したが、本発明は上記実施形態の構成にのみ限定されるものではなく、本願特許請求の範囲の請求項の発明の範囲内で当業者であればなし得る各種変形、修正、組み合わせを含むことは勿論である。
【符号の説明】
【００５７】
１１  筐体
１２  パネル
１３  表示部
１４  レシーバ
１５、１６  磁石
２１  筐体
２２  パネル
２３  表示部
２４  カメラ
２５  スピーカ
２６  マイク
２７  基板
２８  ホール素子
３０  回動軸
３１、３２  ヒンジ
４１_１、４１_２  ブラケット
４２_１、４２_２  ネジ穴
４３  スプリング
４４  カムＡ
４５  凸部
４６  カムＢ
４７  凹部
４８  固定部材
４９  シャフト
５１  凹部
５２  凸部
５５  傾斜部
６１  制御部
６２  メモリ
６３  電子音発生部
【図１Ａ】
2014093724.tif 000003
【図１Ｂ】
2014093724.tif 000004
【図２Ａ】
2014093724.tif 000005
【図２Ｂ】
2014093724.tif 000006
【図３Ａ】
2014093724.tif 000007
【図３Ｂ】
2014093724.tif 000008
【図４Ａ】
2014093724.tif 000009
【図４Ｂ】
2014093724.tif 000010
【図５】
2014093724.tif 000011
【図６Ａ】
2014093724.tif 000012
【図６Ｂ】
2014093724.tif 000013
【図７】
2014093724.tif 000014
【図８】
2014093724.tif 000015
【図９Ａ】
2014093724.tif 000016
【図９Ｂ】
2014093724.tif 000017
【図９Ｃ】
2014093724.tif 000018
【図１０Ａ】
2014093724.tif 000019
【図１０Ｂ】
2014093724.tif 000020
【図１０Ｃ】
2014093724.tif 000021
【図１１Ａ】
2014093724.tif 000022
【図１１Ｂ】
2014093724.tif 000023
【図１２】
2014093724.tif 000024